(57)【特許請求の範囲】
【請求項１】
缶胴の開口に取り付けられるパネルと、
前記パネルの表面に沿うように且つ一方向に沿うように配置され当該一方向における一方の端部に第１の側辺を有し他方の端部に第２の側辺を有する平板状の基部と、当該基部のうちの当該第１の側辺と当該第２の側辺との間に位置する領域であって当該一方向に沿う当該領域が前記パネルから離れる方向に向かって突出した突出部とを備え、当該第１の側辺側がユーザにより持ち上げられることで、当該第２の側辺が当該パネルに向かって進出し当該パネルを押圧するタブと、
を備える缶蓋。
【請求項２】
前記突出部は、前記第２の側辺を始点として前記第１の側辺に向かうように形成され、
前記突出部が設けられていることにより、前記第２の側辺の一部分が前記パネルから離れる方向に向かって突出し、
前記第２の側辺が前記パネルに向かって進出し当該パネルを押圧する際、当該第２の側辺の前記一部分が当該パネルを押圧する請求項１に記載の缶蓋。
【請求項３】
前記突出部は、前記第１の側辺から前記第２の側辺にかけて設けられ、前記基部の前記一方向における全域に設けられていることを特徴とする請求項１に記載の缶蓋。
【請求項４】
前記タブの前記突出部は、前記一方向に沿うように設けられているとともに当該一方向と交差する方向における当該タブの中央部に位置することを特徴とする請求項１記載の缶蓋。
【請求項５】
缶胴の開口に取り付けられるパネルと、
前記パネルの表面に沿うように配置され、長手方向における一方の端部に第１の側辺を有し他方の端部に第２の側辺を有するとともに、当該第１の側辺と当該第２の側辺との間に位置する領域であって当該第１の側辺から当該第２の側辺にかけて延びる当該領域に当該長手方向に沿う折り筋が形成され、当該第１の側辺側がユーザにより持ち上げられることで、当該第２の側辺が当該パネルに向かって進出し当該パネルを押圧するタブと、
を備える缶蓋。
【請求項６】
前記タブは、前記第２の側辺から突出する突出片を有し、前記第１の側辺側がユーザにより持ち上げられると、当該突出片が前記パネルを押圧し、
前記折り筋は、前記突出片にも形成されていることを特徴とする請求項５記載の缶蓋。
【請求項７】
前記長手方向に沿って形成された前記折り筋は、当該長手方向と交差する方向における異なる箇所に複数設けられていることを特徴とする請求項５または６記載の缶蓋。
【請求項８】
前記タブには、前記パネルの前記表面に沿う平板状の基部が設けられ、
前記折り筋と前記基部との間には、当該折り筋と当該基部とを接続する片が設けられ、
前記片は、前記基部に対向するように配置されていることを特徴とする請求項５乃至７の何れかに記載の缶蓋。
【発明の詳細な説明】
【技術分野】
【０００１】
本発明は、缶蓋に関する。
【背景技術】
【０００２】
容器に形成された開口片と、２点で支持されるプルトップリングとから成り、開口片の長手方向に沿って開口片の上面を押圧し、開口片の一方の長手側縁に沿って開口片を押し下げ開口する押下バーをプルトップリングに設けたプルトップが提案されている（例えば、特許文献１参照）。
【先行技術文献】
【特許文献】
【０００３】
【特許文献１】特開平９−４８４３５号公報
【発明の概要】
【発明が解決しようとする課題】
【０００４】
現在広く用いられている飲料缶にはタブが取り付けられていることが多く、飲み口になる開口が形成される際には、このタブがユーザにより操作され、飲料缶のうちのタブにより押圧される被押圧部が、飲料缶の内部方向へ押し込まれる。これにより、この被押圧部が位置している箇所に開口が形成される。ここで、このタブの剛性が低いと、タブが変形しやすくなり、飲み口になる開口の形成が不十分となることがある。
本発明の目的は、飲料缶に取り付けられるタブの剛性を増すことにある。
【課題を解決するための手段】
【０００５】
本発明が適用される缶蓋は、缶胴の開口に取り付けられるパネルと、前記パネルの表面に沿うように且つ一方向に沿うように配置され、当該一方向における一方の端部に第１の側辺を有し他方の端部に第２の側辺を有するとともに、当該第１の側辺と当該第２の側辺との間に位置する領域であって当該一方向に沿う領域が前記パネルから離れる方向あるいは当該パネルに接近する方向に向かって突出して形成され、当該第１の側辺側がユーザにより持ち上げられることで、当該第２の側辺が当該パネルに向かって進出し当該パネルを押圧するタブとを備える缶蓋である。
ここで、前記タブの前記領域は、前記一方向に沿うように設けられているとともに当該一方向と交差する方向における当該タブの中央部に位置することを特徴とすれば、一方向と交差する方向におけるタブの中央部の剛性を増すことができる。
また、前記タブの前記領域の前記突出は、前記パネルに対向する第１の面及び当該第１の面とは反対側の面である第２の面のいずれか一方の面から他方の面に向けて押圧され当該タブに曲げ加工が施されることで形成されていることを特徴とすれば、タブの上記領域をより簡易に形成することができる。
【０００６】
他の観点から捉えると、本発明が適用される缶蓋は、缶胴の開口に取り付けられるパネルと、前記パネルの表面に沿うように配置され、長手方向における一方の端部に第１の側辺を有し他方の端部に第２の側辺を有するとともに、当該第１の側辺と当該第２の側辺との間に位置する領域に変形加工が施され当該長手方向に沿う折り筋が形成され、当該第１の側辺側がユーザにより持ち上げられることで、当該第２の側辺が当該パネルに向かって進出し当該パネルを押圧するタブとを備える缶蓋である。
ここで、前記タブは、前記第２の側辺から突出する突出片を有し、前記折り筋は、前記突出片にも形成されていることを特徴とすれば、突出片の曲げ剛性を高めることができるようになる。
また、前記長手方向に沿って形成された前記折り筋は、当該長手方向と交差する方向における異なる箇所に複数設けられていることを特徴とすれば、突出片の曲げ剛性をさらに高めることができ、また第１の側辺側がユーザにより持ち上げられる際にタブが捩じれることを抑制することができる。
【０００７】
また本発明を飲料缶と捉えた場合、本発明が適用される飲料缶は、飲料が内部に収容される缶胴と、前記缶胴の開口に取り付けられるパネルと、前記パネルの表面に沿うように配置され、長手方向における一方の端部に第１の側辺を有し他方の端部に第２の側辺を有し、当該第１の側辺側がユーザにより持ち上げられることで当該第２の側辺側が当該パネルに向かって進出するタブ本体部と、前記タブ本体部の前記第２の側辺から突出して設けられるとともにその外周縁にカール加工が施され、当該タブ本体部の前記第１の側辺側がユーザにより持ち上げられた際に前記パネルに接近し当該パネルを押圧する突出片とを備える飲料缶である。
ここで、前記突出片は、前記長手方向に沿って配置されるとともに、当該長手方向と直交する方向における一方の端部に当該長手方向に沿う第１の辺を有し、当該長手方向と直交する方向における他方の端部に当該長手方向に沿う第２の辺を有し、前記突出片の前記カール加工は、前記第１の辺及び前記第２の辺に少なくとも施されていることを特徴とすれば、第１の側辺側がユーザにより持ち上げられる際に突出片が曲がることを抑制することができる。
また、前記突出片の前記カール加工は、当該突出片の先端にも施されていることを特徴とすれば、第１の側辺側がユーザにより持ち上げられる際に応力が集中し得る突出片の先端の剛性を増すことができる。
【発明の効果】
【０００８】
本発明によれば、飲料缶に取り付けられるタブの剛性を増すことができる。
【図面の簡単な説明】
【０００９】
【図１】本実施の形態が適用される飲料缶を説明するための図である。
【図２】タブが取り付けられる前のパネルの状態を示した図である。
【図３】タブがユーザにより操作された際に生じるパネルの破断を説明するための図である。
【図４】タブがユーザにより操作された際のタブの動きを示した図である。
【図５】タブがユーザにより操作された際のタブの動きを示した図である。
【図６】タブの他の構成例を示した図である。
【図７】突出部の他の構成例を説明するための図である。
【図８】飲料缶の他の構成例を示した図である。
【図９】飲料缶の他の構成例を示した図である。
【図１０】飲料缶の他の構成例を示した図である。
【図１１】飲料缶の他の構成例を示した図である。
【図１２】タブの他の構成例を示した図である。
【図１３】飲料缶の他の構成例を示した図である。
【図１４】飲料缶の他の構成例を示した図である。
【図１５】タブの他の構成例を示した図である。
【図１６】タブの他の構成例を示した図である。
【発明を実施するための形態】
【００１０】
以下、添付図面を参照して、本発明の実施の形態について詳細に説明する。
図１は、本実施の形態が適用される飲料缶１００を説明するための図である。なお同図（Ａ）は飲料缶１００を上方から眺めた場合の図であり、同図（Ｂ）は同図（Ａ）の矢印ＩＢ方向からタブ５００およびパネル４００を眺めた場合の図である。また、同図（Ｃ）は同図（Ａ）の矢印ＩＣ方向からタブ５００を眺めた場合の図である。
【００１１】
本実施形態における飲料缶１００は、同図（Ａ）に示すように、上部に開口を有するとともに下部に底部を有し且つ筒状に形成された容器本体（缶胴）２００と、容器本体２００の開口に取り付けられ容器本体２００の開口を塞ぐ缶蓋３００とを有している。なお飲料缶１００の内部には、清涼飲料、炭酸飲料、アルコール飲料などの飲料が充填（収容）されている。
【００１２】
缶蓋３００は、円盤状に形成され基板として機能するパネル４００を有している。ここで、このパネル４００には、その表面にスコア線（切り裂き線、弱化線）４１０が形成されている。さらに、パネル４００のうちのスコア線４１０により囲まれた領域内であってパネル４００の表面には、半球状に形成され飲料缶１００の外側方向に向かって突出した突出部４２０が形成されている。また、パネル４００には、ユーザにより操作されるタブ５００が取り付けられている。ここで、このタブ５００は、パネル４００のうちのスコア線４１０により囲まれた領域に重なるように設けられている。このため、本実施形態では、パネル４００のうちの飲み口となる部分が汚れにくくなっている。
【００１３】
なお、本実施形態の構成では、例えば直径が２〜３ｃｍ程度の小径の飲料缶１００であったとしても、開口の面積を確保でき、また、タブ５００の大きさを確保できるようになっている。現在、広く流通している飲料缶（長円状または矩形状のタブが取り付けられた飲料缶）においては、タブを設置するためのタブ用スペース、および、開口を形成するための開口用スペースの二つのスペースを確保する必要が生じる。このため、現在流通している飲料缶にて、飲料缶の直径を小さくする場合は、タブ用スペース、および、開口用スペースの何れか又は両者を小さくする必要が生じる。一方で、本実施形態の構成では、タブ用スペースおよび開口用スペースが上下に重なった状態で設けられるため、タブ用スペースおよび開口用スペースを小さくせずに、飲料缶１００の直径を小さくすることができる。
【００１４】
なお、上記では説明を省略したが、パネル４００（缶蓋３００）は、いわゆる巻き締めによって容器本体２００に固定されており、図１（Ａ）に示すように、パネル４００と容器本体２００との接合部には巻き締め部２５０が形成されている。ここで、この巻き締め部２５０は、環状に形成されている。また、巻き締め部２５０は、パネル４００の表面（タブ５００が取り付けられる面）よりも上方に配置されている。
【００１５】
タブ５００は、一端部５５および他端部５６を有し、ユーザにより他端部５６側が操作されることで、パネル４００に設けられた突出部４２０を押圧する。より具体的に説明すると、ユーザによって他端部５６側が持ち上げられることで一端部５５側がパネル４００に接近し、この一端部５５側がパネル４００に設けられた突出部４２０を押圧する。これにより、スコア線４１０が形成されている箇所にてパネル４００の破断が生じ、パネル４００に開口が形成される。なお、本実施形態における缶蓋３００は、飲み口として機能する開口がパネル４００に形成された後も、タブ５００がパネル４００に取り付けられた状態を維持するいわゆるステイオンタイプの缶蓋である。
【００１６】
タブ５００についてさらに説明すると、本実施形態におけるタブ５００は、同図（Ａ）に示すように、円盤状に形成されたパネル４００の略中央部からパネル４００の外周縁に向かう一方向（以下、この一方向を「タブ配置方向」と称することがある）に沿って配置されている。さらに、タブ５００は、パネル４００の中央部側に上記一端部５５を有しパネル４００の外周縁側に上記他端部５６を有している。
【００１７】
また、タブ５００は、タブ５００の他端部５６側に配置されるとともにタブ配置方向と直交（交差）する方向に沿って配置された第１の側辺５１と、タブ５００の一端部５５側に配置されるとともにタブ配置方向と直交する方向に沿って配置された第２の側辺５２とを有している。また、タブ５００は、タブ配置方向に沿うように配置された第３の側辺５３と、同じくタブ配置方向に沿うように配置され第３の側辺５３とは反対側に配置された第４の側辺５４とを有している。なお、第３の側辺５３および第４の側辺５４は互いに接近するように湾曲した状態で形成されている。
【００１８】
また、タブ５００には、同図（Ａ）に示すように、第３の側辺５３と第２の側辺５２とが交わる箇所、および、第４の側辺５４側辺と第２の側辺５２とが交わる箇所に、突出片５７が設けられている。ここで、二つ設けられたこの突出片５７の各々は、第２の側辺５２から突出するように設けられている。付言すると、第１の側辺５１が設けられている側とは反対側に突出するように設けられている。さらに説明すると、二つ設けられた突出片５７は、タブ配置方向と直交する方向において互いにずらされた状態で配置されている。また、二つの突出片５７の間には間隙が形成されている。なお、本実施形態では、タブ５００のうちの突出片５７の部分が、リベット２６０によってパネル４００に固定されている。
【００１９】
さらに、本実施形態におけるタブ５００では、同図（Ａ）、（Ｂ）に示すように、タブ５００の中央部（タブ配置方向と直交する方向における中央部）に、タブ５００の基部５１０から突出した突出部５２０が設けられた状態となっている。ここで、この突出部５２０は、パネル４００から離れる方向に向かって突出するように設けられているとともに、タブ配置方向に沿って形成されている。また、この突出部５２０は、タブ５００の第２の側辺５２から第１の側辺５１にかけて設けられている。なお、突出部５２０は、タブ５００の基部５１０からパネル４００に接近する方向に向かって突出するように構成してもよい。
【００２０】
なお、このように突出部５２０を第１の側辺５１まで形成した場合、ユーザはタブ５００の操作を行いやすくなる。本実施形態では、タブ５００が操作される際、タブ５００の他端部５６側がユーザにより持ち上げられるが（詳細は後述）、突出部５２０が第１の側辺５１まで形成されていると、タブ５００の第１の側辺５１とパネル４００との間隙が形成される。そしてこの場合、ユーザはこの間隙に指を入れることができるようになり、ユーザは、タブ５００の他端部５６側の持ち上げを行いやすくなる。
【００２１】
また、突出部５２０は、平板状に形成された基部５１０の一方の面側から他方の面側に向かって基部５１０を押圧され、曲げ加工が施されることにより形成され、突出部５２０は、この他方の面から突出するように設けられている。さらに説明すると、本実施形態では、突出部５２０が形成される結果、タブ５００の上記一方の面側に、タブ配置方向に沿う溝５３０（図１（Ｂ）参照）が形成された状態となっている。付言すると、本実施形態におけるタブ５００では、突出部５２０が設けられている面とは反対側の面に、タブ配置方向に沿う溝５３０が形成された状態となっている。
【００２２】
本実施形態におけるタブ５００では、このようにタブ配置方向に沿った突出部５２０（溝５３０）が形成される。このため、本実施形態におけるタブ５００は曲げ剛性が高められている。より具体的に説明すると、パネル４００に開口が形成される際には上記のとおりタブ５００の他端部５６側がユーザにより持ち上げられるが、この際、タブ５００にはタブ５００を曲げようとする荷重が作用することとなる。ここで本実施形態では、上記のように突出部５２０が形成され、タブ５００の曲げ剛性が高められている。このため、本実施形態では、タブ５００を曲げようとする荷重がタブ５００に作用してもタブ５００の曲がりが生じにくくなっている。
【００２３】
なお、上記では説明を省略したが、本実施形態では、タブ５００に形成された溝５３０の幅を、パネル４００に形成された突出部４２０の径よりも大きくしている。これは、第２の側辺５２が突出部４２０を押圧して開口を形成する時、タブ５００の突出片５７の屈曲部周辺に大きな応力を受荷する。このとき、タブ５００の溝５３０は湾曲形状であることにより剛性を有するが、溝５３０から突出片５７に延びる延長部は平面状であるため剛性は劣る。つまり、タブ５００の形状として、剛性の劣る前記延長部の長さは短い方が望ましくなる。このとき、突出片５７の位置は変わらないので、溝５３０の幅が大きければ、前記延長部は短くなり、溝５３０の幅が小さければ、前記延長部は長くなる。そのため、タブ５００に形成された溝５３０の幅を、パネル４００に形成された突出部４２０の径よりも大きくすることが望ましい。
また、本実施形態では、同図（Ａ）、（Ｂ）に示すように、タブ５００に形成された溝５３０の幅を大きくすることで、溝５３０の内部に、パネル４００に形成された突出部４２０の一部を収める構成としている。ここで、例えば、溝５３０の幅が小さい場合、溝５３０の内部に突出部４２０を収めることが難しくなり、タブ５００と突出部４２０とが干渉してしまう。なお、このような干渉は、第２の側辺５２を図中他端部５６側（図１（Ａ）における下方向）に後退させることで避けることができるようになる。仮に、タブ５００を回転させたときの第２の側辺５２の軌跡が突出部４２０の中心付近を通る場合、前記側辺５２は突出部４２０を頂部から缶内に押込むため、突出部４２０を缶内に深く曲げ入れることができる。しかし、第２の側辺５２を図中他端部５６側（図１（Ａ）における下方向）に後退させると、前記側辺５２の軌跡は、突出部４２０の側面を通り、突出部４２０の中心付近を通らないため、突出部４２０を缶内に深く曲げ入れることができない。そしてこの場合、パネル４００に形成される開口が小さいものになってしまう。
【００２４】
なお、同図（Ｃ）に示すように、上記突出部５２０の基部５１０からの突出量は一定ではない（溝５３０の深さは一定ではない）。さらに説明をすると、突出部５２０のうちタブ５００の一端部５５と他端部５６との間に位置する部位（以下、「中間部位」と称することがある）の突出量は、一端部５５における突出量、他端部５６における突出量よりも小さい。ここで、上記中間部位は、タブ５００がユーザにより操作されタブ５００が約１８０°回転した際（反転した際）に（詳細は後述）、巻き締め部２５０に対峙するようになる。この際に、中間部位の突出量が小さくなっていると、タブ５００をより多く回転させることができる。そしてこの場合、パネル４００に形成される開口をより大きなものとすることができる。なお、本実施形態では、タブ５００が巻き締め部２５０に対峙する場合を例示するが、飲料缶１００の直径が大きい場合は、反転したタブ５００の第１の側辺５１側がパネル４００の周縁内（巻き締め部２５０よりも内側）に収まるようになり、この場合は、反転したタブ５００はパネル４００の周縁に対峙しないようになる。
【００２５】
なお、同図（Ａ）に示すように、タブ５００の第１の側辺５１には、切り欠き５１Ａが形成されている。ここで本実施形態では、タブ５００が操作されパネル４００に開口が形成される際、タブ５００の第１の側辺５１とパネル４００との間に形成された間隙にユーザの指が入れられた状態で、タブ５００の他端部５６側が持ちあげられる（詳細は後述）。この際、第１の側辺５１に切り欠き５１Ａが形成されていると、上記間隙に指を入れやすくなり、ユーザは、タブ５００の他端部５６側の持ち上げを行いやすくなる。さらに説明すると、本実施形態における構成では、第１の側辺５１の近くに巻き締め部２５０が位置し、上記間隙に指を入れにくくなっている。このため、本実施形態では、切り欠き５１Ａを形成し、ユーザの指が上記間隙に入りやすい構成としている。
【００２６】
図２は、タブ５００（図１参照）が取り付けられる前のパネル４００の状態を示した図である。
本実施形態におけるパネル４００では、上記のとおり、その表面にスコア線４１０が形成されている。さらに、パネル４００のうちのスコア線４１０により囲まれた領域内には、上記のとおり、半球状に形成され飲料缶１００の外側方向に向かって突出した突出部４２０が形成されている。
【００２７】
ここで、スコア線４１０は、パネル４００のうちのタブ５００により押圧される部位（突出部４２０が設けられている部位）を囲むように形成されている。また、スコア線４１０は、パネル４００の表面に形成された溝により構成されており、パネル４００の破断を誘導する役割を果たす。付言すると、スコア線４１０は、パネル４００の強度を部分的に弱める役割を果たしており、タブ５００によりパネル４００が押圧された際に、このスコア線４１０にてパネル４００の破断が生じるようになる。
【００２８】
また、パネル４００の表面には、タブ５００の突出片５７（図１（Ａ）参照）に形成された貫通孔（不図示）に通された後に押し潰され上記リベット２６０（図１（Ａ）参照）となる第１突起４３１および第２突起４３２が設けられている。さらに、本実施形態のパネル４００には、突出部４２０よりもパネル４００の外周縁側、且つ、スコア線４１０により囲まれている領域内に、パネル４００の補強を行う環状の補強用ビード４４０が設けられている。
【００２９】
ここで、スコア線４１０についてさらに説明すると、本実施形態のスコア線４１０は、略環状に形成されている。また、スコア線４１０は、パネル４００の破断が最初に開始される始点４１１およびパネル４００の破断が終了する終点４１２を有している。なお、始点４１１と終点４１２との間には、スコア線４１０が形成されていないスコア線非形成部４１３が存在している。
【００３０】
ここで、タブ５００がユーザにより操作されタブ５００の突出部４２０による押圧が開始されると、パネル４００のうちのスコア線４１０よりも内側に位置する部位（以下、「内側部位」と称することがある）が飲料缶１００（図１参照）の内部方向に押し込まれる。また、このとき、パネル４００のうちのリベット２６０（図１（Ａ）参照）が位置する箇所が飲料缶１００の外側方向に向けて引っ張られる。これによりスコア線４１０に対してせん断力が作用するようになり、スコア線４１０が設けられている箇所にてパネル４００の破断が発生する。
【００３１】
図３は、タブ５００（図１参照）がユーザにより操作された際に生じるパネル４００の破断を説明するための図である。本図では図示を省略しているタブ５００がユーザにより操作され、タブ５００による突出部４２０の押圧が開始されると、まず、同図（Ａ）に示すように、スコア線４１０の始点４１１にてパネル４００の破断が生じる。また、一方のリベット２６０（以下、このリベットを「第１リベット２６０Ａ」と称する）と突出部４２０との間に位置する部位にて、パネル４００の破断が起こる。その後、同図（Ｂ）に示すように、円形の突出部４２０の周囲に沿ってパネル４００の破断が進行する。
【００３２】
次いで、他方のリベット２６０（以下、このリベットを「第２リベット２６０Ｂ」と称する）と突出部４２０との間に位置する部位にてパネル４００の破断が起こる。そして最後に、同図（Ｃ）に示すように、補強用ビード４４０の外周縁に沿ってパネル４００の破断が進行し、終点４１２にてパネル４００の破断が終了する。ここで、本実施形態では、スコア線４１０の始点４１１から終点４１２に向かってパネル４００の破断が進行するのに伴い、上記内側部位が飲料缶１００（図１参照）の内部へ進入する。付言すると、上記スコア線非形成部４１３が設けられている箇所を回転中心として、内側部位は、回転を行いながら飲料缶１００の内部へ進入する。これにより、パネル４００のうちの内側部位が位置していた箇所に開口が形成される。
【００３３】
なお、上記では説明を省略したが、スコア線非形成部４１３は、突出部４２０の近傍に配置されている。付言すると、スコア線非形成部４１３は、パネル４００のうちのタブ５００（図１参照）により押圧される部位の近傍に配置されている。このため、本実施形態では、突出部４２０がスコア線非形成部４１３から離れた箇所に配置されている場合に比べ、飲料缶１００（図１参照）の内部への内側部位の入り込み量が多くなり、パネル４００に形成される開口が大きくなる。
【００３４】
また、上記では説明を省略したが、本実施形態では、パネル４００に形成された突出部４２０は、図２に示すように、寸法Ｌだけ、第１突起４３１（第１リベット２６０Ａ）に寄せられた状態で配置されている。さらに説明すると、突出部４２０は、第１突起４３１（第１リベット２６０Ａ）と第２突起４３２（第２リベット２６０Ｂ）とを通る直線の中点よりも第１突起４３１側に配置されている。さらに説明すると、突出部４２０は、スコア線４１０のうちの第２突起４３２と突出部４２０との間に位置する部位よりも、スコア線４１０のうちの第１突起４３１と突出部４２０との間に位置する部位に寄せられた状態で配置されている。このため、本実施形態では、タブ５００によるパネル４００の押圧が開始されると、上記のとおり、まず、第１突起４３１側にてパネル４００の破断が生じるようになる。
【００３５】
次に、タブ５００がユーザにより操作された際のタブ５００の動きについて説明する。
図４、図５は、タブ５００がユーザにより操作された際のタブ５００の動きを示した図である。
ユーザによるタブ５００の操作が開始される際には、まず、図４（Ａ）に示すタブ５００の他端部５６（第１の側辺５１）とパネル４００との間にユーザの指が挿入される。なお上記のとおり、タブ５００の第１の側辺５１には切り欠き５１Ａが形成されており、ユーザは、タブ５００の他端部５６とパネル４００との間への指の挿入を行いやすくなっている。
【００３６】
その後、同図（Ｂ）に示すように、タブ５００の他端部５６側がユーザにより持ち上げられる。この持ち上げが行われると、同図に示すように、突出片５７の根元にてタブ５００が曲がるようになるとともに、タブ５００の他端部５６側が上方に変位する。また、タブ５００の一端部５５側に位置する第２の側辺５２がパネル４００に形成された突出部４２０に向かって進出するとともに突出部４２０に突き当たり、第２の側辺５２がこの突出部４２０を押圧する。
なお、本実施形態では、図４（Ａ）に示すように第２の側辺５２が直線状に形成されているが、第２の側辺５２に対して、図１５（タブ５００の他の構成例を示した図）に示すように切り欠きを設けることもできる。付言すると、第２の側辺５２は、第１の側辺５１が位置する側に向かって凹むように湾曲した状態で形成することもできる。第２の側辺５２を直線状に形成した場合は、第２の側辺５２と突出部４２０とが点接触となり、タブ５００のうちの突出部４２０に接触する箇所に応力が集中し、この接触する箇所にて変形などが生じるおそれがある。図１５のように切り欠きを形成した場合は、タブ５００と突出部４２０とが線接触となり、上記応力の集中を避けることができる。なお、第２の側辺５２が直線状に形成されている場合、突出部４２０のうちの第２の側辺５２が接触する箇所を平面状とすることでも、タブ５００と突出部４２０とを線接触で接触させることができるようになる。なお、上記では説明を省略したが、本実施形態では、タブ５００のパネル４００に対する角度が約３０°となったときに、第２の側辺５２が突出部４２０に接触する構成となっている。
【００３７】
第２の側辺５２が突出部４２０を押圧すると、上記のとおりスコア線４１０にてパネル４００の破断が起こる。これにより、内側部位が飲料缶１００（図１参照）の内部へ入り込み、パネル４００に開口が形成される。その後、タブ５００の更なる操作がユーザにより行われ、図５（Ａ）、（Ｂ）に示すように、タブ５００が約１８０°回転した状態（反転した状態）となる。
【００３８】
この状態となると、同図（Ａ）に示すとおり、タブ５００の第２の側辺５２が、パネル４００に形成された開口を通じて飲料缶１００（図１参照）の内部に進入し、パネル４００の突出部４２０を更に押圧した状態となる。そしてこの場合、内側部位が飲料缶１００の内部に更に深く進入した状態となる。
詳細に説明すれば、パネル４００に突出部４２０がない場合、タブ５００の第２の側辺５２が缶内に進入した深さだけパネルを押圧して開口するため、大きな開口は望めない。しかし、パネル４００に突出部４２０を設けることにより、タブ５００の第２の側辺５２が缶内に進入した深さに突出部４２０の高さを加えた深さの開口となる。なお、図５（Ａ）、（Ｂ）を見てわかるように、当初はタブ５００の第２の側辺５２が突出部４２０の頂部に当接押圧して開口を開始するが、開口の進行につれて、開口片が傾くことにより第２の側辺５２と突出部４２０の頂部が当接しなくなってしまう。そこで、本実施形態では第２の側辺５２との当接する箇所が突出部４２０の側辺部に移動しながら押圧し続けることができるように、パネル４００の突出部４２０とタブ５００の第２の側辺５２を配置するようにしている。このことにより、開口角度をさらに大きくし、大きな開口が形成されるようにしている。
このように本実施形態では、パネル４００に突出部４２０が形成されており、この突出部４２０が設けられることによって内側部位が飲料缶１００の内部により深く進入する。そしてこの場合、パネル４００の形成される開口がより大きなものとなる。
なお、上記では説明を省略したが、タブ５００の縁部のうち第２の側辺５２に沿って曲げ加工を施しこの縁部を折り返したり、タブ５００の縁部のうち第２の側辺５２に沿ってカール加工を施したりすることもできる。この場合、第２の側辺５２が突出部４２０を押圧した際に生じうるタブ５００の変形が生じにくくなる。なお、上記折り返しやカール加工は、パネル４００側に向かってタブ５００が曲がるようにタブ５００を変形させることで行うこともできるし、パネル４００側とは反対側に向かってタブ５００が曲がるようにタブ５００を変形させることで行うこともできる。
【００３９】
なお、本実施形態の飲料缶１００では、タブ５００を一方向に向けて約１８０°回転させることより、ユーザは飲料缶１００の内部の飲料を飲むことが可能となる。付言すると、一方向に回転させたタブ５００を逆方向に回転させない状態（初期状態に戻さない状態）で、ユーザが飲料を飲むのに十分な大きさの開口が形成される。このため、ユーザは簡単な操作で内部の飲料を飲むことができるようになる。さらに説明すると、本実施形態では、開口に必要な操作がタブ５００を引き起こす操作だけでよいため、開口の形成に必要な操作が簡便になる。
【００４０】
なお、上記にて説明したが、本実施形態では、突出部５２０（図１（Ｃ）参照）の基部５１０からの突出量は一定ではなく、突出部５２０のうちタブ５００の一端部５５と他端部５６との間に位置する部位（中間部位）の突出量が、一端部５５における突出量、他端部５６における突出量よりも小さくなっている。そして本実施形態では、タブ５００がユーザにより操作されタブ５００が約１８０°回転した際（反転した際）、図５（Ｂ）に示すように、上記中間部位が、巻き締め部２５０に対峙するようになる。この場合、タブ５００をより多く回転させることができ、パネル４００に形成される開口をより大きなものとすることができる。
【００４１】
なお、タブ５００に形成された突出部５２０（溝５３０）は、上記にて説明した形態に限られない。ここで、図６はタブ５００の他の構成例を示した図である。
例えば、図６（Ａ）に示すように、突出部５２０の頂部５２１を平坦状にするとともにこの頂部５２１から下方に延びる二つの側部５２２を設けることができる。ここで、この形態の場合、平坦状の頂部５２１と側部５２２とが交わる箇所のそれぞれに角部が形成される。付言すると、この形態の場合、二つの角部が形成される。なお、この二つの角部の各々の角度は、同じ角度とすることもできるし、同図（Ｂ）に示すように、異なる角度とすることもできる。
【００４２】
また、図１にて示した突出部５２０は、図６（Ｃ）に示すように（図１（Ｂ）も参照）、頂部５２１と一方の側部５２２とが交わる箇所、頂部５２１と他方の側部５２２とが交わる箇所に曲率を付与した形状であったが、図６（Ｄ）に示すように、突出部５２０の全体に曲率を付与し突出部５２０の断面形状を半円状にすることもできる。また、図１にて示した突出部５２０では、図６（Ｃ）に示すように、頂部５２１と一方の側部５２２とが交わる箇所の曲率、および、頂部５２１と他方の側部５２２とが交わる箇所の曲率が同じであったが、図６（Ｅ）に示すように、曲率を異ならせることもできる。
【００４３】
さらに、図６（Ｆ）に示すように、突出部５２０の頂部５２１を平坦状に形成するとともにこの頂部５２１に対してタブ配置方向に沿った凹凸を形成することもできる。付言すると、突出部５２０の頂部５２１の断面形状を波形とすることもできる。また、頂部５２１に対してタブ配置方向に沿った突出部５２３を設けたり（同図（Ｇ）参照）、頂部５２１に対してタブ配置方向に沿った凹部５２４を設けたりすることもできる（同図（Ｈ）参照）。また、同図（Ｉ）、（Ｊ）に示すように、断面形状において、突出部５２０の頂部５２１をＶ字状とすることもできる。なお、同図（Ｉ）は、頂部５２１を外側方向に突出させることでＶ字状とし、同図（Ｊ）は、頂部５２１を内側方向に突出させることでＶ字状とした場合を示している。
【００４４】
また、パネル４００に形成された突出部４２０についても、図１にて説明した構成以外の構成とすることができる。図１にて示した突出部４２０は、図７（突出部４２０の他の構成例を説明するための図）の（Ａ）にも示すように、側方から眺めた場合の断面形状が半球状であったが、突出部４２０は、例えば、同図（Ｂ）に示すように、円錐状に形成することもできる。なお、図示は省略するが、突出部４２０は、半球状、円錐状などに限らず、円柱状（円筒状）や角柱状に形成することもできる。また、円柱の上面に前記の半球や円錐を載せた形状にすることもできる。
【００４５】
図８は、飲料缶１００の他の構成例を示した図である。なお、上記にて説明した実施形態と同様の機能を有する部分については上記と同じ符号を付している。また、同図（Ａ）は飲料缶１００を上方から眺めた場合の図であり、同図（Ｂ）は同図（Ａ）の矢印ＶＩＩＩＢ方向からタブ５００およびパネル４００を眺めた場合の図である。また、同図（Ｃ）はタブ５００がパネル４００を押圧する際の状態を示した図である。
【００４６】
上記にて説明した実施形態では、パネル４００に突出部４２０（図１参照）を設けた構成を説明したが、本構成例では、図８（Ａ）、（Ｂ）に示すように、突出部４２０が設けられていない構成となっている。なお、この場合、同図（Ｃ）に示すように、タブ５００の他端部５６側がユーザにより持ち上げられタブ５００が約９０°回転すると、タブ５００の第２の側辺５２がパネル４００を押圧するようになる。この押圧により、上記と同様、スコア線４１０にて破断が起こり、パネル４００に開口が形成される。付言すると、この場合、タブ５００の第２の側辺５２がパネル４００に当接してから、さらにタブ５００を約９０°回転させて開口が完成する。なお、本構成例では、突出部４２０が設けられていないため、飲料缶１００の内部への内側部位の入り込み量が図１等にて示した構成における入り込み量よりも小さくなる。
なお、他の実施例として、図１６（タブ５００の他の構成例を示した図）に示すように、タブ５００を側面から見たとき、第２の側辺５２の形状を６０°の傾斜を有するように形成することができる（（Ｄ）図参照）。この場合、タブ５００の他端部５６側がユーザにより持ち上げられタブ５００が約６０°回転すると（（Ｃ）図参照）、第２の側辺５２がパネル４００を押圧するようになる。この押圧により、スコア線４１０にて破断が起こり、パネル４００に開口が形成される。この場合、タブ５００は第２の側辺５２がパネル４００に当接してから開口完成まで、さらに約１２０°回転することができる。なお、第２の側辺５２の傾斜角度は６０°に限らず、任意に設定することができる。
【００４７】
図９は、飲料缶１００の他の構成例を示した図である。なお、同図（Ａ）は飲料缶１００を上方から眺めた場合の図であり、同図（Ｂ）は同図（Ａ）の矢印ＩＸＢ方向からタブ５００およびパネル４００を眺めた場合の図である。
【００４８】
本構成例においても、パネル４００に突出部４２０（図１参照）が設けられていない状態となっている。また、本構成例では、二つ設けられた突出片５７の間に、第２の側辺５２から突出する第２突出片５８が設けられている。ここで、本構成例では、突出部４２０が設けられていないが、第２突出片５８が設けられているため、飲料缶１００の内部への内側部位（スコア線４１０により囲まれている部位）の入り込み量を大きくすることができる。
【００４９】
なお、本構成例では、第２突出片５８に対して曲げモーメントが作用するが、本構成例では、第２突出片５８が湾曲して形成されているため、この曲げモーメントに起因する第２突出片５８の曲がりが生じにくくなっている。付言すると、本構成例では、パネル４００から離れる方向に向かって突出するように第２突出片５８が湾曲しているため、第２突出片５８の曲がりが生じにくくなっている。
【００５０】
飲料缶１００の他の構成例を更に説明する。
図１０は、飲料缶１００の他の構成例を示した図である。なお、同図（Ａ）は飲料缶１００を上方から眺めた場合の図であり、同図（Ｂ）は同図（Ａ）の矢印ＸＢ方向からタブ５００およびパネル４００を眺めた場合の図である。また、同図（Ｃ）は同図（Ａ）の矢印ＸＣ方向からタブ５００を眺めた場合の図である。
【００５１】
同図に示す構成例では、タブ５００の全体が平板状に形成されている。また、本構成例では、パネル４００の表面に沿うようにタブ５００が配置されているとともに、パネル４００の表面にタブ５００が接触した状態で設けられている。したがって、本構成例では、突出部５２０を設けた上記タブ５００（図１参照）と比較して、タブ５００の厚みが小さくなっている。また、本構成例では、図１にて示した構成に比べ、パネル４００の表面からのタブ５００の出寸法が小さくなっている。
【００５２】
ここで、本構成例におけるタブ５００でも、二つ設けられた突出片５７の間に第２突出片５８が設けられている。また、本構成例におけるタブ５００では、タブ５００の曲げ剛性を高めるため、第３の側辺５３の縁部、第４の側辺５４の縁部、第２突出片５８の縁部（外周縁）に対してカール加工を施している。さらに説明すると、第２突出片５８は、先端５８０と、タブ配置方向に沿うように配置された第１の辺５８１と、同じくタブ配置方向に沿うように配置され第１の辺５８１とは反対側に配置された第２の辺５８２とを有している。本構成例におけるタブ５００の第２突出片５８では、これらの先端５８０、第１の辺５８１、及び第２の辺５８２に対してカール加工を施している。
【００５３】
ここで本構成例におけるタブ５００がユーザにより操作される際、タブ５００の他端部５６側が持ち上げられるが、この際、タブ５００の基部５１０（タブ５００のうち第２突出片５８よりも他端部５６側に位置する部位）に対して曲げモーメントが作用する。ところで本実施形態では、上記のとおり、第３の側辺５３の縁部、第４の側辺５４の縁部に対してカール加工が施されているために、タブ５００の基部５１０の曲がりが生じにくくなっている。また、第２突出片５８に対して曲げモーメントが作用するが、本構成例では、第２突出片５８の縁部に対してもカール加工が施されており、第２突出片５８の曲がりも生じにくくなっている。
【００５４】
飲料缶１００の他の構成例をさらに示す。
図１１は、飲料缶１００の他の構成例を示した図である。なお、同図（Ａ）は飲料缶１００を上方から眺めた場合の図であり、同図（Ｂ）は同図（Ａ）の矢印ＸＩＢ方向からタブ５００およびパネル４００を眺めた場合の図である。また、同図（Ｃ）は同図（Ａ）の矢印ＸＩＣ方向からタブ５００を眺めた場合の図である。
【００５５】
本構成例でも、上記と同様、第２の側辺５２から突出した第２突出片５８がタブ５００に設けられている。さらに本構成例では、タブ５００の第２突出片５８の先端からタブ５００の他端部５６にかけて位置する領域であってタブ５００の中央部に位置する領域（タブ配置方向と直交する方向における中央部に位置する領域）に対して、曲げ加工が施され、この領域に、タブ配置方向に沿った凸部５２５が複数設けられた状態となっている。
【００５６】
ここで、複数設けられた凸部５２５の各々は、その断面形状が略三角形で形成されるとともに、タブ配置方向と直交する方向（タブ５００の幅方向）に並ぶように設けられている。また、凸部５２５の各々は、図１１（Ｂ）に示すように、図中左下方向から図中右上方向に向かう第１の片５２５Ａと、図中右下方向から図中左上方向に向かう第２の片５２５Ｂとを備えている。なお、第１の片５２５Ａと第２の片５２５Ｂとは、第１の片５２５Ａの図中上端部と第２の片５２５Ｂの図中上端部とが接続した状態で設けられている。
【００５７】
ここで本構成例でも、タブ５００の他端部５６側が持ち上げられタブ５００の基部５１０に対して曲げモーメントが作用する。ところで、上記のとおり、本構成例には、タブ配置方向に沿った凸部５２５がタブ５００に複数設けられており、上記曲げモーメントに起因する基部５１０の曲がりが生じにくくなっている。また、第２突出片５８に対して曲げモーメントが作用するが、本構成例では、第２突出片５８にも凸部５２５が設けられており、第２突出片５８の曲がりも生じにくくなっている。ここで、本構成では、図１と同様、タブ５００に突出部（凸部）が設けられた構成であるが、凸部５２５の各々の高さが小さくなっており、図１における構成よりもタブ５００の厚みが小さくなっている。
【００５８】
なお、上記では説明を省略したが、本構成例では、タブ５００の基部５１０の下面（図１１（Ｂ）の符号５００Ａ参照）よりもパネル４００側に、凸部５２５の下端部（符号５２６参照）が突出しない構成となっている。ここで、基部５１０の下面よりもパネル４００側に凸部５２５の下端部が突出する場合、タブ５００とパネル４００との間に間隙が形成され、パネル４００からタブ５００が浮くようになる。
【００５９】
また、本構成例では、図１１（Ｂ）に示すように、タブ５００の中心線ＣＬ（タブ配置方向と直交する方向における中央部を通る中心線、タブ５００の幅方向における中央部を通る中心線）を、対称軸として、タブ５００は線対称で形成されている。
【００６０】
ここで例えば、図１２（タブ５００の他の構成例を示した図）に示すように、凸部５２５が単数であり、且つ、この凸部５２５が中心線ＣＬから外れた位置に設けられる態様も考えられる。ところでこの場合、タブ５００の中心部（幅方向における中心部）から外れた箇所にて、タブ５００とパネル４００とが強く接触する可能性が生じ、かかる場合、タブ５００が捩じられるようになる。そしてこの場合は、タブ５００からパネル４００へ荷重が伝わりにくくなり、パネル４００に開口を形成する際のタブ５００の操作荷重が大きくなりやすい。
【００６１】
図１３は、飲料缶１００の他の構成例を示した図である。なお、同図（Ａ）は飲料缶１００を上方から眺めた場合の図であり、同図（Ｂ）は同図（Ａ）の矢印ＸＩＩＩＢ方向からタブ５００およびパネル４００を眺めた場合の図である。また、同図（Ｃ）は同図（Ａ）の矢印ＸＩＩＩＣ方向からタブ５００を眺めた場合の図である。
【００６２】
同図に示す構成例では、タブ５００の中央部（タブ配置方向と直交する方向における中央部）に、タブ５００に対して曲げ加工を施すことにより形成した折り畳み部５２７が設けられている。ここで、同図（Ｂ）に示すように、折り畳み部５２７には、タブ配置方向に沿って配置された折り筋の一例である第１曲げ加工部５１１、同じくタブ配置方向に沿って配置された折り筋の一例である第２曲げ加工部５１２が設けられている。なお、第１曲げ加工部５１１は、タブ５００の第４の側辺５４側に設けられ、第２曲げ加工部５１２は、タブ５００の第３の側辺５３側に設けられている。また、第１曲げ加工部５１１と第２曲げ加工部５１２との間には間隙が形成されている。
【００６３】
また折り畳み部５２７には、一端が第１曲げ加工部５１１にて基部５１０に接続され且つこの基部５１０に対向配置された第１対向片５６１と、一端が第２曲げ加工部５１２にて基部５１０に接続され且つこの基部５１０に対向配置された第２対向片５６２が設けられている。さらに、折り畳み部５２７には、タブ配置方向に沿って配置された第３曲げ加工部５１３、同じくタブ配置方向に沿って配置された第４曲げ加工部５１４が設けられるとともに、第３曲げ加工部５１３にて第１対向片５６１の他端部に接続され、第４曲げ加工部５１４にて第２対向片５６２の他端部に接続され、且つ、第１対向片５６１および第２対向片５６２の両者に対向するように設けられた第３対向片５６３が設けられている。
【００６４】
ここで、本構成例においても、タブ５００の他端部５６側が持ち上げられタブ５００の基部５１０（タブ５００のうち第２突出片５８よりも他端部５６側に位置する部位）に対して曲げモーメントが作用するが、上記のとおり、本構成例では、折り畳み部５２７がタブ配置方向に沿って設けられており、基部５１０におけるタブ５００の曲がりが生じにくくなっている。また上記と同様、第２突出片５８に対して曲げモーメントが作用するが、本構成例では、折り畳み部５２７が第２突出片５８にも設けられており、第２突出片５８の曲がりも生じにくくなっている。
【００６５】
なお、図１３にて説明した構成例では、曲げ加工により形成された複数の片（第１対向片５６１〜第３対向片５６３）が重なるように設けられた態様を説明したが、図１４（飲料缶１００の他の構成例を示した図）の（Ａ）に示すように、第１曲げ加工部５３１、第２曲げ加工部５３２、第３曲げ加工部５３３により形成される、第１対向片５４１および第２対向片５４２を、基部５１０から起立するように設けることもできる。なおこの場合、缶蓋３００（図１参照）の上縁（巻き締め部２５０）よりも上方に第１対向片５４１の上端および第２対向片５４２の上端が突出しないように、第１対向片５４１および第２対向片５４２の高さ方向における寸法を設定することが好ましい。
【００６６】
また、図１３にて説明した構成例では、第１対向片５６１と基部５１０とは、互いに接しているのみであり、タブ５００の他端部５６側が持ち上げられた際に、タブ５００からパネル４００へ荷重が伝わりにくくなり、パネル４００に開口を形成する際のタブ５００の操作荷重が大きくなりやすい。また、同様に、第２対向片５６２と基部５１０、第１対向片５６１と第３対向片５６３、および、第２対向片５６２と第３対向片５６３も、互いに接しているのみであり、この場合、タブ５００からパネル４００へ荷重が伝わりにくくなり、パネル４００に開口を形成する際のタブ５００の操作荷重が大きくなりやすい。
【００６７】
このため、例えば、図１４（Ｂ）に示すように、タブ５００の基部５１０の縁から突出する突出片５５０を二つ設けるとともにこの突出片５５０を折り曲げ、さらに、この突出片５５０の一部を第３対向片５６３に対向させることができる。かかる場合、上記離間が生じにくくなり、タブ５００からパネル４００へ荷重が伝わりやすくなる。そしてこの場合、パネル４００に開口を形成する際のタブ５００の操作荷重が、上記離間が生じる場合に比べ小さくなる。
【符号の説明】
【００６８】
５２…第２の側辺、５８…第２突出片、１００…飲料缶、２００…容器本体、２６０Ａ…第１リベット、２６０Ｂ…第２リベット、３００…缶蓋、４００…パネル、４１０…スコア線、４２０…突出部、５００…タブ、５２０…突出部、５３０…溝
【図１】
0005921147.tif 000002
【図２】
0005921147.tif 000003
【図３】
0005921147.tif 000004
【図４】
0005921147.tif 000005
【図５】
0005921147.tif 000006
【図６】
0005921147.tif 000007
【図７】
0005921147.tif 000008
【図８】
0005921147.tif 000009
【図９】
0005921147.tif 000010
【図１０】
0005921147.tif 000011
【図１１】
0005921147.tif 000012
【図１２】
0005921147.tif 000013
【図１３】
0005921147.tif 000014
【図１４】
0005921147.tif 000015
【図１５】
0005921147.tif 000016
【図１６】
0005921147.tif 000017